(57)【要約】      （修正有）【課題】小動物の身体に対するフィット性が高く、小動物を安心させ抱持する小動物用抱っこ紐を提供する。【解決手段】内側に人が肩を通して袈裟懸けすることができるように長尺のシートを環状に形成した小動物用抱っこ紐において、シート中央の両縁部２ａ、２ｂがシート中心部よりも縮小されていることを特徴とする。縮小手段はゴムの挿入である。抱っこ紐の両縁部のゴムによる縮小とシートの中央部分との差により立体的な袋状のゆとりが生じ、小動物の体によりフィットして安定し抱持状態が可能となる。【選択図】図５
0003197014.tif 000002
【実用新案登録請求の範囲】
【請求項１】
その内側に人が肩を通し袈裟懸けすることができるようにシートを環状に形成した小動物
用抱っこ紐において、シートの長さの中央部分に位置する上縁部及び下縁部の一部にゴム
を入れることで収縮する部分を作成したことを特徴とする小動物用抱っこ紐。
【請求項２】
ゴムを挿入したシートの上縁部中央部分からその両端に向かうにつれて下向きに傾斜させ
、同様にゴムを挿入したシートの下縁部中央部分からその両端に向かうにつれて上向きに
傾斜させることで、そのシートの両幅を狭めた両端を縫合して形成することを特徴とする
請求項１に記載の小動物用抱っこ紐。
【考案の詳細な説明】
【技術分野】
【０００１】
本考案は犬等小動物を収容する抱持補助具として用いられる小動物用抱っこ紐に関するも
のである。
【背景技術】
【０００２】
犬等小動物を収容して抱え持つのに用いる補助具としての小動物用抱っこ紐（スリング）
は、小動物をバッグの中に収めるショルダーバッグのようなタイプのものが多い。
【先行技術文献】
【特許文献】
【０００３】
【特許文献１】特開２０１１−８３２５８号広報
【特許文献２】特開２０１２−５０４５７号広報
【非特許文献】
【０００４】
【非特許文献１】登録実用新案第３１２９９０６号公報
【非特許文献２】登録実用新案第３１３７９１５号広報
【非特許文献３】登録実用新案第３１６７３３７号広報
【考案の概要】
【考案が解決しようとする課題】
【０００５】
ところが、小動物用抱っこ紐は推奨体重が小さいものが多く、それを超える体重の動物に
適する抱っこ紐は多くないのが現状である。
特許公開２０１１−８３２５８号広報のペット運搬用バッグや、特許公開２０１２ー５０
４５７号広報の底板が取り付けられるペット用の運搬器具、実用新案第３１６７３３７号
のペットを収容して持ち運ぶ以外の用途にも使用可能とするペット用スリングがあるが、
もっと体重のある小動物に適したサイズを作成するとなると、大きめなパーツを複数縫い
合わせ小動物を収容するスペースであるバッグを作る必要があるなどスリング自体が重く
なったりかさばるという難点がある。そして縫う箇所が多くなると負荷がかかりやすい箇
所から破れる危険性も出てくる。
【０００６】
また、実用新案第３１２９９０６号ではメッシュカバー付きの小動物用スリングが、そし
て実用新案第３１３７９１５号でも小動物を連結しその飛び出しを防止出来る部材を備え
たスリングが提供されているが、平面的な両縁部の布のみで包み込むと小動物の身体に対
するフィット性が悪いという問題がある。
小動物の身体に対するフィット性を高めて、小動物の尻と背中を抱っこ紐と使用者の手の
ひらでそっと支えながら、なるべく体を密着させるようにして安定させ、使用者との密着
度を増すことで小動物を安心させ抱持する小動物用抱っこ紐の提供を課題とする。
【課題を解決するための手段】
【０００７】
前記課題を達成するため、本考案の小動物用抱っこ紐は、長尺の布（シート）を環状に形
成し、シートの中央両縁部の一部がゴムにより伸縮することを特徴とする。
【考案の効果】
【０００８】
本考案によれば、抱っこ紐の両縁部のゴムによる縮小と中央部分との差により立体的な袋
状のゆとりが生じることにより小動物の体によりフィットして安定し抱持状態を保つこと
ができる。小動物の尻と背中を抱っこ紐で包むように収容し、小動物の胸元に使用者の手
を入れそっと支えることで小動物と使用者の身体が密着し、使用者の身体で小動物の体重
を支える面積を増やすことができ、肩・腰・背中と荷重を分散させることが可能となる。
【０００９】
小動物は普段抱っこされているときと同様に、圧迫されない開口部から外の景色や使用者
を見ることができ、空気の流れも阻害されないので、小動物は収容スペース内で飼い主に
抱かれた感覚で過ごすことができる。抱っこ紐の中において小動物は自らの脚でその身体
を支えるのではなく、使用者に腹と尻を支えられる抱っこの姿勢で抱持されることが可能
であるから、例えば動物病院での待ち時間などにおいても、使用者（飼い主）の体温を感
じおとなしく待つことができ、使用者も抱っこのための肩、腕の負担を軽減することがで
きる。
【００１０】
このように簡易な構造にすることにより、小動物用抱っこ紐を容易且つ安価に製造するこ
とができ、取扱いも容易且つ便利なものとなる。
【図面の簡単な説明】
【００１１】
【図１】本考案の実施形態に係る小動物用抱っこ紐の使用例を示す斜視図である。
【図２】本考案の実地形態に係る小動物用抱っこ紐にペット等小動物を収容しようとする状態を示す正面図である。
【図３】本考案の実地形態に係る小動物用抱っこ紐使用例を示す正面図である。
【図４】本考案の実地形態に係る小動物用抱っこ紐の加工前の状態を表す展開図である。
【図５】本考案の実地形態に係る小動物用抱っこ紐を横から見た様子を示した平面図である。
【図６】本考案の実地形態に係る小動物用抱っこ紐を二つに折り広げた様子を示した平面図である。
【考案を実施するための形態】
【００１２】
以下、添付の図面を参照しながら本考案の実施形態を説明する。しかし、以下の説明は本
考案の実施の一形態であって、実用新案登録請求の範囲に記載の内容を減縮するものでは
ない。
【００１３】
図１は本考案の実地形態に係る小動物用抱っこ紐の使用例を示す斜視図である。本考案の
小動物用抱っこ紐は使用者の一方の肩にたすきがけをし、その袋状になった中心部に小動
物を収容し、使用者の腹部に沿って吊り下げられる。
【００１４】
図２及び図３は本考案の実施形態にかかる小動物用抱っこ紐の使用例を示す斜視図である
。
【実施例】
【００１５】
図４は本考案の一実地形態の加工前の状態を表す展開図である。
本考案の小動物用抱っこ紐は帯状のシート１で構成され、抱っこ紐を形成するのに最適な
長さXで裁断する。帯状のシート１は表布1aと裏布1bからなる。
帯状のシートの長さXのちょうど中央部分に位置する上縁部2a及び下縁部2bにゴムを挿入
することで収縮する部分を作り、立体的な袋状の収容スペースを形成する。そして上縁部
のゴム挿入部2aから帯状のシートの端3a及び3bに至るにつれ上縁部を下向きに傾斜させ、
同様に下縁部のゴム挿入部2bから帯状のシートの端3a及び3bに至るにつれ下縁部を上向き
に傾斜させ、3a及び3bを縫い合わせることで使用者の肩掛け部分３を形成し、環状体を作
成する。
【００１６】
抱っこ紐の収容スペースは小動物自身の重みによっても丸くなるので、収縮するゴム挿入
部2a及び2bは小動物を収容する部分のみでよい。
【００１７】
図５は図４の展開図の状態から加工を施した実地形態を横から見た様子を示した平面図、
図６は図４の展開図の状態から加工を施した実地形態を二つに折り畳んだ様子を示した平
面図である。3a及び3bを縫合した肩掛け部分３はそのままでも良いが、ゴムを入れること
で肩にフィットするように伸縮させて荷重を肩全体に分散させることができ、肩全体にま
んべんなく均等の荷重圧が懸かる事により肩の負担を軽くすることも期待できる。または
肩部分にパットを入れ、肩の負担を軽くすることも可能である。
【００１８】
なお、本考案の小動物用抱っこ紐はシートを環状にしたものに限定されず、シートに連結
用リングを取り付けてその両端を結合するものも含まれる。
【符号の説明】
【００１９】
１・・・帯状のシート
X・・・帯状のシートの長さ
1a・・・表布
1b・・・裏布
2a・・・上縁部にあるゴム挿入部
2b・・・下縁部にあるゴム挿入部
3・・・肩掛け部分
3a・・・帯状のシートの端
3b・・・帯状のシートの端
【図１】
0003197014.tif 000003
【図２】
0003197014.tif 000004
【図３】
0003197014.tif 000005
【図４】
0003197014.tif 000006
【図５】
0003197014.tif 000007
【図６】
0003197014.tif 000008